【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
外周面が円周方向に分割されて半径方向に凹凸形状に形成されるとともに外周面が同一の極性に着磁された円筒形状の永久磁石から成るマグネットリングと、
前記マグネットリングと同心で、かつ該マグネットリングを軸方向に挟む位置に配置される円筒形状の第１及び第２のコイルと、
前記マグネットリングの一方の外周面側に間隔をもって対向し、前記第１のコイルにより励磁される第１の外側磁極部と、
前記マグネットリングのもう一方の外周面側に間隔をもって対向し、前記第２のコイルにより励磁される第２の外側磁極部と、
軟磁性材料から成り、前記マグネットリングの内径部に固定され、前記第１の外側磁極部と前記第２の外側磁極部のうちの少なくとも一方の軸方向の定められた範囲において対向し、前記第１のコイルと前記第２のコイルの少なくとも一方により励磁される内側磁極部が形成された出力軸とを有し、
前記マグネットリングは、片面が凹凸形状のシート状の可撓性材料から成り、外周面が凹凸形状になるように前記出力軸に形成される前記内側磁極部の外周面に巻き付け固定されて円筒形状を成し、前記内側磁極部の外周面への巻き始まりと巻き終わりの部分が凹形状部分であることを特徴とするステッピングモータ。
【請求項２】
外周面が円周方向に分割されて半径方向に凹凸形状に形成されるとともに外周面が同一の極性に着磁された円筒形状の永久磁石から成るマグネットリングと、
前記マグネットリングと同心で、かつ該マグネットリングを軸方向に挟む位置に配置される円筒形状の第１及び第２のコイルと、
前記マグネットリングの一方の端面からの外周面に対向し、前記第１のコイルにより励磁される第１の外側磁極部と、
前記マグネットリングのもう一方の端面からの外周面に対向し、前記第２のコイルにより励磁される第２の外側磁極部と、
軟磁性材料から成り、前記マグネットリングの内径部に固定され、前記第１の外側磁極部の軸方向の定められた範囲において対向し、前記第１のコイルにより励磁される第１の内側磁極部及び前記第２の外側磁極部の軸方向の定められた範囲において対向し、前記第２のコイルにより励磁される第２の内側磁極部が形成された出力軸とを有し、
前記第１及び第２の内側磁極部の外径寸法をＤ１とすると、Ｄ１＞Ｄ２となる外径寸法Ｄ２の連結部を前記第１と第２の内側磁極部の間に設け、
前記マグネットリングは、片面が凹凸形状のシート状の可撓性材料から成り、外周面が凹凸形状になるように前記出力軸に形成される前記内側磁極部の外周面に巻き付け固定されて円筒形状を成し、前記内側磁極部の外周面への巻き始まりと巻き終わりの部分が凹形状部分であることを特徴とするステッピングモータ。
【請求項３】
円柱形状部を持ち、軟磁性材料から成る出力軸と、
前記出力軸の前記円柱形状部に巻き付けられ、前記円柱形状部の円周方向に沿って異なる極に交互に分割されて着磁されたシート状の可撓性材料から成る永久磁石と、
前記出力軸の前記円柱形状部と同心で、シート状の前記永久磁石が巻き付けられた前記円柱形状部を軸方向に挟む位置に配置される円筒形状の第１及び第２のコイルと、
前記出力軸の前記円柱形状部の外周部に巻き付けられたシート状の前記永久磁石の一方の外周面側に間隔をもって対向し、前記第１のコイルにより励磁される第１の外側磁極部と、
前記出力軸の前記円柱形状部の外周部に巻き付けられたシート状の前記永久磁石のもう一方の外周面側に間隔をもって対向し、前記第２のコイルにより励磁される第２の外側磁極部とを有し、
前記出力軸の前記円柱形状部は、前記第１の外側磁極部と前記第２の外側磁極部のうちの少なくとも一方の軸方向の定められた範囲において対向し、前記第１のコイルと前記第２のコイルのうちの少なくとも一方により励磁可能なことを特徴とするステッピングモータ。
【手続補正２】
【補正対象書類名】明細書
【補正対象項目名】００１４
【補正方法】変更
【補正の内容】
【００１４】
上記第１および第３の目的を達成するために、請求項１に記載の発明は、外周面が円周方向に分割されて半径方向に凹凸形状に形成されるとともに外周面が同一の極性に着磁された円筒形状の永久磁石から成るマグネットリングと、前記マグネットリングと同心で、かつ該マグネットリングを軸方向に挟む位置に配置される円筒形状の第１及び第２のコイルと、前記マグネットリングの一方の外周面側に間隔をもって対向し、前記第１のコイルにより励磁される第１の外側磁極部と、前記マグネットリングのもう一方の外周面側に間隔をもって対向し、前記第２のコイルにより励磁される第２の外側磁極部と、軟磁性材料から成り、前記マグネットリングの内径部に固定され、前記第１の外側磁極部と前記第２の外側磁極部のうちの少なくとも一方の軸方向の定められた範囲において対向し、前記第１のコイルと前記第２のコイルの少なくとも一方により励磁される内側磁極部が形成された出力軸とを有し、前記マグネットリングが、片面が凹凸形状のシート状の可撓性材料から成り、外周面が凹凸形状になるように前記出力軸に形成される前記内側磁極部の外周面に巻き付け固定されて円筒形状を成し、前記内側磁極部の外周面への巻き始まりと巻き終わりの部分が凹形状部分であるステッピングモータとするものである。
【手続補正３】
【補正対象書類名】明細書
【補正対象項目名】００１５
【補正方法】変更
【補正の内容】
【００１５】
また、上記第１ないし第３の目的を達成するために、請求項２に記載の発明は、外周面が円周方向に分割されて半径方向に凹凸形状に形成されるとともに外周面が同一の極性に着磁された円筒形状の永久磁石から成るマグネットリングと、前記マグネットリングと同心で、かつ該マグネットリングを軸方向に挟む位置に配置される円筒形状の第１及び第２のコイルと、前記マグネットリングの一方の端面からの外周面に対向し、前記第１のコイルにより励磁される第１の外側磁極部と、前記マグネットリングのもう一方の端面からの外周面に対向し、前記第２のコイルにより励磁される第２の外側磁極部と、軟磁性材料から成り、前記マグネットリングの内径部に固定され、前記第１の外側磁極部の軸方向の定められた範囲において対向し、前記第１のコイルにより励磁される第１の内側磁極部及び前記第２の外側磁極部の軸方向の定められた範囲において対向し、前記第２のコイルにより励磁される第２の内側磁極部が形成された出力軸とを有し、前記第１及び第２の内側磁極部の外径寸法をＤ１とすると、Ｄ１＞Ｄ２となる外径寸法Ｄ２の連結部を前記第１と第２の内側磁極部の間に設け、前記マグネットリングが、片面が凹凸形状のシート状の可撓性材料から成り、外周面が凹凸形状になるように前記出力軸に形成される前記内側磁極部の外周面に巻き付け固定されて円筒形状を成し、前記内側磁極部の外周面への巻き始まりと巻き終わりの部分が凹形状部分であるステッピングモータとするものである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また、上記第１の目的を達成するために、請求項３に記載の発明は、円柱形状部を持ち、軟磁性材料から成る出力軸と、前記出力軸の前記円柱形状部に巻き付けられ、前記円柱形状部の円周方向に沿って異なる極に交互に分割されて着磁されたシート状の可撓性材料から成る永久磁石と、前記出力軸の前記円柱形状部と同心で、シート状の前記永久磁石が巻き付けられた前記円柱形状部を軸方向に挟む位置に配置される円筒形状の第１及び第２のコイルと、前記出力軸の前記円柱形状部の外周部に巻き付けられたシート状の前記永久磁石の一方の外周面側に間隔をもって対向し、前記第１のコイルにより励磁される第１の外側磁極部と、前記出力軸の前記円柱形状部の外周部に巻き付けられたシート状の前記永久磁石のもう一方の外周面側に間隔をもって対向し、前記第２のコイルにより励磁される第２の外側磁極部とを有し、前記出力軸の前記円柱形状部が、前記第１の外側磁極部と前記第２の外側磁極部のうちの少なくとも一方の軸方向の定められた範囲において対向し、前記第１のコイルと前記第２のコイルのうちの少なくとも一方により励磁可能なステッピングモータとするものである。